(57)【要約】【課題】エンジン始動時に最初に圧縮行程となる第１圧縮気筒において燃料の燃焼を適切に行うことのできるディーゼルエンジンの始動制御装置を提供する。【解決手段】ディーゼルエンジン１０の始動制御装置（ＥＣＵ５０）は、エンジン始動時に最初に圧縮行程となる第１圧縮気筒内に燃料噴射弁１８によって燃料を噴射させて最初の燃焼を行う。ＥＣＵ５０は、エンジン停止状態における第１圧縮気筒のクランク角（第１圧縮気筒の停止クランク角）に基づいて、最初の燃焼における燃料噴射量Ｑを可変設定する。ＥＣＵ５０は、第１圧縮気筒の停止クランク角が進角側であるほど、最初の燃焼における燃料噴射量Ｑを少なくする。【選択図】      図１
2010190146.tif 000002
【特許請求の範囲】
【請求項１】
エンジン始動時に最初に圧縮行程となる第１圧縮気筒内に燃料を噴射して最初の燃焼を行うディーゼルエンジンの始動制御装置であって、
エンジン停止状態における前記第１圧縮気筒のクランク角を検出する検出手段と、
前記検出手段により検出される前記クランク角に基づいて、前記最初の燃焼における前記燃料の噴射量又は噴射圧を可変設定する設定手段と
を備えることを特徴とするディーゼルエンジンの始動制御装置。
【請求項２】
前記設定手段は、前記検出手段により検出される前記クランク角が進角側であるほど、前記最初の燃焼における前記燃料の噴射量を少なくする、又は前記最初の燃焼における前記燃料の噴射圧を低くすることを特徴とする請求項１に記載のディーゼルエンジンの始動制御装置。
【請求項３】
前記設定手段は、前記最初の燃焼によるエンジン回転速度の上昇度合が、一定に設定された目標上昇度合に近付くように前記燃料の噴射量又は噴射圧を可変設定することを特徴とする請求項１又は２に記載のディーゼルエンジンの始動制御装置。
【請求項４】
前記設定手段は、前記検出手段により検出される前記クランク角が進角側であるほど、前記最初の燃焼における前記燃料の噴射量を減量する減量幅を大きくする、又は前記最初の燃焼における前記燃料の噴射圧を低下させる低下幅を大きくすることを特徴とする請求項３に記載のディーゼルエンジンの始動制御装置。
【請求項５】
前記設定手段は、前記最初の燃焼によるエンジン回転速度の上昇度合が、前記検出手段により検出される前記クランク角が進角側であるほど大きく設定された目標上昇度合に近付くように前記燃料の噴射量又は噴射圧を可変設定することを特徴とする請求項１に記載のディーゼルエンジンの始動制御装置。
【請求項６】
前記設定手段は、前記検出手段により検出される前記クランク角が、前記第１圧縮気筒内に噴射された燃料が着火すると判定することのできる最遅角側の所定クランク角よりも進角側であることを条件として、前記最初の燃焼における前記燃料の噴射量又は噴射圧を可変設定することを特徴とする請求項１〜５のいずれか１項に記載のディーゼルエンジンの始動制御装置。
【請求項７】
前記設定手段は、前記ディーゼルエンジンが自動停止された後に自動始動される時に、前記最初の燃焼における前記燃料の噴射量又は噴射圧を可変設定することを特徴とする請求項１〜６のいずれか１項に記載のディーゼルエンジンの始動制御装置。
【請求項８】
前記検出手段は、前記ディーゼルエンジンが自動停止される際に前記第１圧縮気筒のクランク角を検出し、
前記設定手段は、前記検出手段により検出される前記ディーゼルエンジンが自動停止される際の前記第１圧縮気筒のクランク角に基づいて、前記最初の燃焼における前記燃料の噴射圧を低下させることを特徴とする請求項１〜７のいずれか１項に記載のディーゼルエンジンの始動制御装置。
【発明の詳細な説明】
【技術分野】
【０００１】
本発明は、ディーゼルエンジンの始動を制御する制御装置に関する。
【背景技術】
【０００２】
車両の走行が停止された時にエンジンを自動停止するとともに、車両の発進操作がなされた時にエンジンを自動始動するエンジンの自動停止始動装置、いわゆるエコノミーランニングシステムがある（例えば、特許文献１参照）。この特許文献１に記載のものは、ディーゼルエンジンの自動始動時に、最初に圧縮行程となる第１圧縮気筒に設けられたグロープラグへの通電量を、他の気筒に設けられたグロープラグへの通電量よりも大きくして、第１圧縮気筒での燃料の着火を確保している。
【先行技術文献】
【特許文献】
【０００３】
【特許文献１】特開２００６−４６２５１号公報
【発明の概要】
【発明が解決しようとする課題】
【０００４】
ところで、特許文献１に記載のものは、第１圧縮気筒での燃料の着火を確保しているものの、第１圧縮気筒における燃料の燃焼状態について考慮していない。このため、第１圧縮気筒において必ずしも燃料の燃焼が適切に行われているとはいえず、未だ改善の余地を残すものとなっている。
【０００５】
本発明は、上記実情に鑑みてなされたものであり、エンジン始動時に最初に圧縮行程となる第１圧縮気筒において燃料の燃焼を適切に行うことのできるディーゼルエンジンの始動制御装置を提供することを主たる目的とするものである。
【課題を解決するための手段】
【０００６】
本発明は、上記課題を解決するために、以下の手段を採用した。
【０００７】
請求項１に記載の発明は、エンジン始動時に最初に圧縮行程となる第１圧縮気筒内に燃料を噴射して最初の燃焼を行うディーゼルエンジンの始動制御装置であって、エンジン停止状態における前記第１圧縮気筒のクランク角を検出する検出手段と、前記検出手段により検出される前記クランク角に基づいて、前記最初の燃焼における前記燃料の噴射量又は噴射圧を可変設定する設定手段とを備えることを特徴とする。
【０００８】
上記構成によれば、ディーゼルエンジンでは、エンジン始動時に最初に圧縮行程となる第１圧縮気筒内に燃料が噴射されて最初の燃焼が行われる。ここで、本願発明者らは、燃料の噴射量および噴射圧が一定であったとしても、エンジン停止時状態における第１圧縮気筒のクランク角（第１圧縮気筒の停止クランク角）によって燃料の着火時期が変化して、最初の燃焼により発生するトルクが変化することを見出した。具体的には、最初の燃焼が行われる第１圧縮気筒において、エンジン始動時のピストンによる圧縮開始位置から圧縮上死点までの長さ（圧縮行程長さ）が長いほど燃焼により発生するトルクが大きくなる。このため、燃料の噴射量や噴射圧が一定である場合、第１圧縮気筒の停止クランク角によっては燃料の過不足等が生じて、エンジン始動時間が長くなったり、燃費性能の低下や騒音の増大が生じたりするおそれがある。
【０００９】
この点、上記構成によれば、エンジン停止状態における第１圧縮気筒のクランク角が検出され、この検出されるクランク角に基づいて最初の燃焼における燃料の噴射量又は噴射圧が可変設定されるため、第１圧縮気筒の停止クランク角が始動時毎に異なったとしても、燃料の燃焼を適切に行うことができる。なお、燃料の噴射圧を低くすることにより、気筒において圧縮上死点までに噴射される燃料の量が少なくなるため、燃焼により発生するトルクや燃焼に伴う騒音や振動が小さくなる。したがって、最初の燃焼における燃料の噴射圧を制御することにより、燃料の燃焼を適切に行うことができる。
【００１０】
上述したように、燃料の噴射量および噴射圧が一定であったとしても、第１圧縮気筒における圧縮行程長さが長いほど燃焼により発生するトルクが大きくなり、エンジン回転速度の上昇度合（上昇量や上昇率）が大きくなる傾向がある。このため、第１圧縮気筒の停止クランク角が進角側であるほど、燃料の噴射量を少なくしたり燃料の噴射圧を低くしたりしても、エンジン回転速度の上昇度合の大きさを維持し易くなる。
【００１１】
この点、請求項２に記載の発明は、請求項１に記載の発明において、前記設定手段は、前記検出手段により検出される前記クランク角が進角側であるほど、前記最初の燃焼における前記燃料の噴射量を少なくする、又は前記最初の燃焼における前記燃料の噴射圧を低くするため、エンジン回転速度の上昇度合が小さくなることを抑制しつつ、燃費性能の向上、又は騒音や振動の低減を図ることができる。
【００１２】
請求項３に記載の発明は、請求項１又は２に記載の発明において、前記設定手段は、前記最初の燃焼によるエンジン回転速度の上昇度合が、一定に設定された目標上昇度合に近付くように前記燃料の噴射量又は噴射圧を可変設定することを特徴とする。
【００１３】
上記構成によれば、第１圧縮気筒の停止クランク角が始動時毎に異なったとしても、最初の燃焼によるエンジン回転速度の上昇度合を一定に設定された目標上昇度合に近付けることにより、エンジン始動時間のばらつきを抑制することができる。なお、燃焼によるエンジン回転速度の上昇度合としては、燃焼行程の最初から最後までのエンジン回転速度の上昇量や、燃焼行程中におけるエンジン回転速度の変化率等を採用することができる。
【００１４】
請求項４に記載の発明は、請求項３に記載の発明を前提として、前記設定手段は、前記最初の燃焼によるエンジン回転速度の上昇度合が、一定に設定された目標上昇度合に近付くように前記燃料の噴射量又は噴射圧を可変設定するといった構成において、前記設定手段は、前記検出手段により検出される前記クランク角が進角側であるほど、前記最初の燃焼における前記燃料の噴射量を減量する減量幅を大きくする、又は前記最初の燃焼における前記燃料の噴射圧を低下させる低下幅を大きくするようにしている。このため、燃料の噴射量および噴射圧が一定であったとしても第１圧縮気筒における圧縮行程長さが長いほどエンジン回転速度の上昇度合が大きくなるといった傾向に応じて、燃料噴射量又は燃料噴射圧を補正することができる。その結果、燃費性能の向上、又は騒音や振動の低減を図ることができる。
【００１５】
上述したように、燃料の噴射量および噴射圧が一定であったとしても、第１圧縮気筒における圧縮行程長さが長いほど燃焼により発生するトルクが大きくなり、エンジン回転速度の上昇度合が大きくなる傾向がある。このため、第１圧縮気筒の停止クランク角が進角側であるほど、エンジン回転速度の上昇度合を大きくすることが容易となる。
【００１６】
この点、請求項５に記載の発明は、請求項１に記載の発明において、前記設定手段は、前記最初の燃焼によるエンジン回転速度の上昇度合が、前記検出手段により検出される前記クランク角が進角側であるほど大きく設定された目標上昇度合に近付くように前記燃料の噴射量又は噴射圧を可変設定するため、燃費性能の低下、又は騒音や振動の増大を抑制しつつ、エンジン回転速度の上昇度合を大きくすることができる。
【００１７】
第６に記載の発明によるように、第１〜第５の発明において、前記設定手段は、前記検出手段により検出される前記クランク角が、前記第１圧縮気筒内に噴射された燃料が着火すると判定することのできる最遅角側の所定クランク角よりも進角側であることを条件として、前記最初の燃焼における前記燃料の噴射量又は噴射圧を可変設定するようにし、第１圧縮気筒内に噴射された燃料が着火しない場合には、第１圧縮気筒において最初の燃焼を行わず、第１圧縮気筒の次に圧縮行程となる第２圧縮気筒において最初の燃焼を行うことが有効である。
【００１８】
第７に記載の発明は、第１〜第６に記載の発明において、前記設定手段は、前記ディーゼルエンジンが自動停止された後に自動始動される時に、前記最初の燃焼における前記燃料の噴射量又は噴射圧を可変設定するため、エンジン始動される機会の多い自動停止始動機能付きのディーゼルエンジンにおいて、第１圧縮気筒の停止クランク角が始動時毎に異なったとしても、燃料の燃焼を適切に行うことができる。
【００１９】
第８に記載の発明は、第１〜第７に記載の発明において、前記検出手段は、前記ディーゼルエンジンが自動停止される際に前記第１圧縮気筒のクランク角を検出し、前記設定手段は、前記検出手段により検出される前記ディーゼルエンジンが自動停止される際の前記第１圧縮気筒のクランク角に基づいて、前記最初の燃焼における前記燃料の噴射圧を低下させるため、ディーゼルエンジンの停止から第１圧縮気筒内への燃料の噴射までに、燃料の噴射圧を制御することができる。ここで、ディーゼルエンジンが自動停止された後に自動始動されるまでの間、燃料の圧力は比較的高い状態で保持されるため、燃料の圧力を低下させるように制御することができる。
【図面の簡単な説明】
【００２０】
【図１】エコノミーランニングシステムの概要を示す模式図。
【図２】エンジン自動停止始動制御の処理手順を示すフローチャート。
【図３】第１圧縮気筒の停止クランク角とエンジン回転速度の上昇量との関係を示すグラフ。
【図４】第１圧縮気筒燃焼および第２圧縮気筒燃焼についてエンジン始動時間とエンジン回転速度との関係を示すグラフ。
【図５】第１圧縮気筒の停止クランク角とエンジン回転速度の目標上昇量を実現するために必要な燃料噴射量との関係を示すグラフ。
【図６】第１圧縮気筒の停止クランク角とエンジン回転速度の上昇量との関係についてその変形例を示すグラフ。
【図７】第１圧縮気筒の停止クランク角とエンジン回転速度の上昇量との関係についてその他の変形例を示すグラフ。
【発明を実施するための形態】
【００２１】
以下、一実施形態について、図面を参照しつつ説明する。
【００２２】
本実施形態は、エコノミーランニングシステムに搭載されるコモンレール式のディーゼルエンジンの自動停止始動を制御する制御装置に具体化している。
【００２３】
図１に示すように、このエコノミーランニングシステムは、ディーゼルエンジン１０と、ディーゼルエンジン１０の自動停止および自動始動を制御する制御装置（ＥＣＵ）５０と、各種センサとを備えている。
【００２４】
ディーゼルエンジン１０は直列多気筒式のディーゼルエンジンであり、直列に並べられた複数（本実施形態では４つ）の気筒１１を備えている。気筒１１内には、ピストンが往復摺動可能に設けられている。
【００２５】
ディーゼルエンジン１０は、吸気通路から送られる吸気を各気筒１１へ供給する吸気マニホールド１６と、各気筒１１から排出される排気を排気通路へと送る排気マニホールド１９とを備えている。
【００２６】
ディーゼルエンジン１０は、各気筒１１内に燃料を噴射する燃料噴射弁１８と、燃料噴射弁１８に燃料を供給するコモンレール１７と、コモンレール１７に燃料を圧送する燃料ポンプ２４とを備えている。コモンレール１７は、燃料ポンプ２４から圧送される燃料を一時的に貯留する。燃料ポンプ２４は、ディーゼルエンジン１０の回転力により駆動されて所定のタイミングで燃料を圧送する。なお、燃料噴射弁１８として、特開２０００−０４５９０２号公報に記載されるように、燃料噴射の停止時に弁内の燃料の圧力が維持されるタイプの燃料噴射弁が採用されている。このため、ディーゼルエンジン１０が自動停止されてから自動始動されるまで、燃料噴射弁１８内の燃料の圧力が比較的高い状態で維持される。
【００２７】
ディーゼルエンジン１０は、始動モータ２５を備えている。始動モータ２５は、ディーゼルエンジン１０の始動時に駆動されてクランクシャフトを回転させる。
【００２８】
エコノミーランニングシステムは、アクセルペダルの踏み込量を検出するアクセル踏み込み量センサ７１、ディーゼルエンジン１０のクランクシャフトが回転する際のクランク角度を検出するクランク角センサ７２、コモンレール１７内の燃料の圧力を検出するレール圧センサ７３、ブレーキペダルが踏み込まれている状態を検出するブレーキ踏み込みセンサ７４、及びディーゼルエンジン１０の回転速度を検出するエンジン回転速度センサ７５等の各種センサを備えている。
【００２９】
エコノミーランニングシステムは、ディーゼルエンジン１０の各部を制御する制御装置（ＥＣＵ）５０を備えている。ＥＣＵ５０は、デジタルコンピュータからなり、双方向性バスによって互いに接続されたＲＯＭ、ＲＡＭ、ＣＰＵ、バックアップＲＡＭ、入力ポート、及び出力ポート等を備えている。ＥＣＵ５０は、各種センサから送られる情報に基づいて、ディーゼルエンジン１０に関する各種制御を実行する。
【００３０】
本実施形態では、ＥＣＵ５０は、ディーゼルエンジン１０の始動時に最初に圧縮行程となる第１圧縮気筒について、ディーゼルエンジン１０の停止状態におけるクランク角（第１圧縮気筒の停止クランク角）を取得する。具体的には、クランク角センサ７２は、クランクシャフトの近傍に配置された２つのクランク角センサを備えており、これらのクランク角センサはクランクシャフトの周方向に沿って互いに位相がずらされている。これらのクランク角センサは、クランクシャフトに設けられたロータの凹凸を検出するものであり、約１０°ＣＡ（クランク角）の分解能でクランクシャフトの回転を検出することができる。ＥＣＵ５０は、クランク角センサ７２から出力されるパルス信号をカウントし、それをクランクシャフトの絶対位置であるクランク角に変換する。２つのクランク角センサは、クランクシャフトの周方向に沿って位相がずらされて配置されているため、クランクシャフトが回転する際にこれらのクランク角センサの出力には位相差が生じる。ＥＣＵ５０は、これら２つのクランク角センサの出力の位相差を比較することにより、クランクシャフトの正転及び逆転を判断することができる。そして、ＥＣＵ５０は、クランクシャフトの正転および逆転に応じて、検出されたクランク角を加減算することによってクランク角を１０°ＣＡの精度で検出する。なお、第１圧縮気筒の停止クランク角をその他のセンサによって検出する構成や、第１圧縮気筒の停止クランク角を推定する構成を採用することもできる。
【００３１】
エコノミーランニングシステムは、ディーゼルエンジン１０を搭載した車両の走行停止時にアイドリングストップ状態に移行し、ディーゼルエンジン１０を自動停止させる。その後、運転者がブレーキペダルから足を離し、更にアクセルペダルを踏み込んだ時に、エコノミーランニングシステムはディーゼルエンジン１０を自動的に再始動させる。以下、図２を参照して、ディーゼルエンジン１０の自動停止始動制御について説明する。
【００３２】
まず、ＥＣＵ５０は、ディーゼルエンジン１０の自動停止条件が成立したか否か判定する（Ｓ１１０）。具体的には、ＥＣＵ５０は各種センサの出力に基づいて、以下の条件が設立しているか否か判定する。（１）ディーゼルエンジン１０の暖機が終了していること、（２）アクセルペダルが踏み込まれていないこと、（３）ブレーキペダルが踏み込まれている状態であること、（４）車両の走行が停止している状態であること。そして、ＥＣＵ５０は、これらの全ての条件が成立している場合に、ディーゼルエンジン１０の自動停止条件が成立したと判定する。なお、これらの条件の一部を省略したり、条件を更に追加したりしてもよい。
【００３３】
ディーゼルエンジン１０の自動停止条件が成立したと判定されると（Ｓ１１０：ＹＥＳ）、ＥＣＵ５０は、ディーゼルエンジン１０の停止制御を行うと共に、クランク角センサ７２の出力に基づいてクランクシャフトの絶対位置であるクランク角を検出する（Ｓ１２０）。具体的には、ＥＣＵ５０は、燃料噴射弁１８からの燃料噴射を停止させて、ディーゼルエンジン１０の回転速度を低下させる。このとき、ＥＣＵ５０はコモンレール１７内の燃料圧力を低下させる処理は行わず、また燃料噴射弁１８では上述したように弁内の燃料の圧力が維持される。なお、ディーゼルエンジン１０の自動停止条件が成立していないと判定されると（Ｓ１１０：ＮＯ）、再び自動停止条件が成立したか否かの判定が行われる（Ｓ１１０）。
【００３４】
続いて、ＥＣＵ５０は、ディーゼルエンジン１０が停止したか否か判定する（Ｓ１３０）。具体的には、ＥＣＵ５０は、エンジン回転速度センサ７５の出力に基づいてエンジン回転速度Ｎｅを検出し、エンジン回転速度Ｎｅが所定のエンジン回転速度ＮｅＲ以下である場合にディーゼルエンジン１０が停止したと判定する。また、エンジン回転速度Ｎｅが所定のエンジン回転速度ＮｅＲよりも大きい場合には、再びディーゼルエンジン１０の停止制御を行うと共にクランク角を検出する（Ｓ１２０）。
【００３５】
ディーゼルエンジン１０が停止したと判定されると（Ｓ１３０：ＹＥＳ）、ＥＣＵ５０は、各気筒１１の停止クランク角を検出する（Ｓ１４０）。具体的には、上述したようにＥＣＵ５０は、クランクシャフトの正転および逆転に応じて、クランク角センサ７２により検出されたクランク角を加減算することによってクランク角を検出する。そして、ＥＣＵ５０は、検出されたクランク角と各気筒１１との対応関係に基づいて、ディーゼルエンジン１０の停止状態における各気筒１１のクランク角を検出する。ここで、各気筒１１の停止クランク角として、ディーゼルエンジン１０の始動を開始する時における各気筒１１のクランク角を用いる。したがって、ディーゼルエンジン１０が一旦停止された後に、エンジン始動を行うまでにクランクシャフトが回転した場合には、エンジン始動の直前においてエンジン停止状態となった時の各気筒１１のクランク角が検出される。こうして検出される各気筒１１の停止クランク角は、ディーゼルエンジン１０の運転状態や運転停止後の状態によって変化して始動時毎に異なったものとなる。
【００３６】
続いて、ＥＣＵ５０は、ディーゼルエンジン１０の自動始動条件が成立したか否か判定する（Ｓ１５０）。具体的には、ＥＣＵ５０は各種センサの出力に基づいて、上述した自動停止条件（１）〜（４）のうち１つでも成立しない場合に、ディーゼルエンジン１０の自動始動条件が成立したと判定する。なお、これらの条件の一部を省略したり、条件を更に追加したりしてもよい。
【００３７】
ディーゼルエンジン１０の自動始動条件が成立したと判定されると（Ｓ１５０：ＹＥＳ）、ＥＣＵ５０は、ディーゼルエンジン１０の自動始動を行うために以下の処理を実行する。なお、ディーゼルエンジン１０の自動始動条件が成立していないと判定されると（Ｓ１５０：ＮＯ）、再び自動始動条件が成立したか否かの判定が行われる（Ｓ１５０）。
【００３８】
ＥＣＵ５０は、ディーゼルエンジン１０の始動時に最初に圧縮行程となる第１圧縮気筒において燃料の燃焼を行うことが可能か否か判定する（Ｓ１６０）。
【００３９】
具体的には、ＥＣＵ５０は、各気筒１１のクランク角に基づいて第１圧縮気筒を特定し、図３に示す関係に基づいて、この第１圧縮気筒の停止クランク角が燃料の燃焼を可能なクランク角であるか否か判定する。
【００４０】
すなわち、機関運転状態に基づいて設定されるエンジン始動時の基本燃料噴射量Ｑ０の燃料を第１圧縮気筒内に噴射したとき、第１圧縮気筒の停止クランク位置と燃焼行程でのエンジン回転速度Ｎｅの上昇度合とは図３に示す関係となる。ここでは、ピストンの上死点（ＴＤＣ）を基準として進角側を負とし遅角側を正として、第１圧縮気筒における燃焼行程の最初と最後とでのエンジン回転速度Ｎｅの上昇量ΔＮｅをエンジン回転速度の上昇度合として採用している。第１圧縮気筒の停止クランク角として取り得る範囲は、エンジンの特性によって変化するが、直列４気筒式のディーゼルエンジン１０ではおおよそ図３に示すクランク角の範囲を取り得る。なお、燃焼によるエンジン回転速度の上昇度合としては、燃焼行程中におけるエンジン回転速度の変化率等を採用することもできる。
【００４１】
第１圧縮気筒の停止クランク角がクランク角Ｘ１よりも遅角側である場合には、吸気を圧縮した時に気筒１１内の温度が十分に上昇せず、燃料噴射弁１８によって噴射された燃料が着火しない。一方、第１圧縮気筒内に燃料を噴射して最初の燃焼を行うときに、その最初の燃焼によるエンジン回転速度Ｎｅの目標上昇量ＴΔＮｅ（目標上昇度合）が設定されている。このため、ＥＣＵ５０は、この目標上昇量ＴΔＮｅを実現することのできる最遅角側のクランク角Ｙ１よりも停止クランク角が進角側であるときに、第１圧縮気筒において燃料の燃焼を行うことが可能であると判定し、クランク角Ｙ１よりも停止クランク角が遅角側であるときに、第１圧縮気筒において燃料の燃焼を行うことができないと判定する。
【００４２】
続いて、図２に示すように、ＥＣＵ５０は、第１圧縮気筒において燃料の燃焼を行うことが可能であると判定したときには（Ｓ１６０：ＹＥＳ）、第１圧縮気筒において燃料の最初の燃焼（第１圧縮気筒燃焼）を行ってディーゼルエンジン１０を始動し（Ｓ１７０）、一方、第１圧縮気筒において燃料の燃焼を行うことが可能でないと判定したときには（Ｓ１６０：ＮＯ）、ディーゼルエンジン１０の始動時に第１圧縮気筒の次に圧縮行程となる第２圧縮気筒において燃料の最初の燃焼（第２圧縮気筒燃焼）を行ってディーゼルエンジン１０を始動する（Ｓ１８０）。具体的には、ＥＣＵ５０は、始動モータ２５を駆動してクランクシャフトを回転させるとともに、各気筒１１の燃料噴射時期に燃料噴射弁１８を駆動して燃料を噴射させる。こうして、ディーゼルエンジン１０の自動始動が行われた後、ＥＣＵ５０は本処理を終了する。なお、Ｓ１３０，１４０の処理がエンジン停止状態における第１圧縮気筒のクランク角を検出する検出手段としての処理に相当し、Ｓ１７０の処理が最初の燃焼における燃料の噴射量を可変設定する設定手段としての処理に相当する。以下、第１圧縮気筒燃焼および第２圧縮気筒燃焼について、図３〜５を参照して詳細に説明する。
【００４３】
図４に示すように、ＥＣＵ５０は、それぞれ第１圧縮気筒燃焼および第２圧縮気筒燃焼を行って、ディーゼルエンジン１０の始動を行う。ここで、ＥＣＵ５０は、第２圧縮気筒燃焼を行う場合には、最初の圧縮行程（第１圧縮気筒）では燃料の噴射を行わない（図４中に噴射を丸印で表示）。したがって、第２圧縮気筒燃焼では、第１圧縮気筒燃焼を行う場合よりもディーゼルエンジン１０の始動時間Ｔが長くなることを抑制するために、エンジン回転速度Ｎｅが始動判定閾値ＴＮｅに到達するまで基本燃料噴射量Ｑ０を補正量ΔＱによって増量する。このため、第２圧縮気筒燃焼を行う場合も、第１圧縮気筒燃焼を行う場合と略等しいエンジン始動時間とすることができる。また、第１圧縮気筒において燃料の燃焼を行うことが可能でないと判定したときに、第２圧縮気筒において燃料の最初の燃焼が行われるため、第１圧縮気筒内に燃料を噴射しても着火しないといった事態や、第１圧縮気筒内に噴射された燃料の燃焼状態が悪化するといった事態を回避することができる。なお、補正量ΔＱは一定値であってもよいし、予め実験等により求められたマップを参照することによりエンジン運転状態に基づいて設定される可変値であってもよい。また、基本燃料噴射量Ｑ０を補正量ΔＱによって増量するといった態様の他に、基本燃料噴射量Ｑ０及び補正量ΔＱを含む燃料噴射量Ｑを最初から設定する態様を採用してもよい。
【００４４】
また、ＥＣＵ５０は、第１圧縮気筒燃焼を行う場合に、第１圧縮気筒の停止クランク角に基づいて燃料の噴射量を可変設定する。具体的には、第１圧縮気筒における最初の燃焼によるエンジン回転速度Ｎｅの上昇量ΔＮｅが、第１圧縮気筒の停止クランク角に対して一定の目標上昇量ＴΔＮｅとなるように燃料噴射量Ｑを設定する。ここで、目標上昇量ＴΔＮｅは、ディーゼルエンジン１０の目標始動時間に基づいて以下のように設定される。すなわち、目標始動時間がディーゼルエンジン１０や車両の仕様等に基づいて設定され、この目標始動時間内に実行することのできる燃焼の回数が設定される。そして、その燃焼回数でエンジン回転速度Ｎｅを始動判定閾値ＴＮｅまで上昇させることができるように、１回の燃焼における平均的なエンジン回転速度Ｎｅの上昇量ΔＮｅが設定される。さらに、その平均的なエンジン回転速度Ｎｅの上昇量ΔＮｅを実現することができるように、最初の燃焼によるエンジン回転速度Ｎｅの目標上昇量ＴΔＮｅが設定される。このように設定された目標上昇量ＴΔＮｅはＥＣＵ５０に記憶されている。
【００４５】
図３に示すように、燃料の噴射量が基本燃料噴射量Ｑ０で一定に設定され且つ燃料の噴射圧が一定に設定されていたとしても、第１圧縮気筒の最初の燃焼によるエンジン回転速度の上昇量ΔＮｅは、第１圧縮気筒の停止クランク角に応じて変化する。これは、最初の燃焼が行われる第１圧縮気筒において、エンジン始動時のピストンによる圧縮開始位置から圧縮上死点までの長さ（圧縮行程長さ）が長いほど燃焼により発生するトルクが大きくなるためである。そこで、第１圧縮気筒の停止クランク角に対して最初の燃焼によるエンジン回転速度Ｎｅの上昇量ΔＮｅが一定の目標上昇量ＴΔＮｅとなるように、ＥＣＵ５０は、第１圧縮気筒の停止クランク角がクランク角Ｙ１よりも進角側にある場合には、燃料噴射量Ｑを基本燃料噴射量Ｑ０よりも少なく設定する。すなわち、ＥＣＵ５０は、基本燃料噴射量Ｑ０の燃料を噴射したときに、エンジン回転速度Ｎｅの目標上昇量ＴΔＮｅよりも上昇量ΔＮｅが高くなる斜線で示す範囲に対応して燃料噴射量Ｑを減量補正する。
【００４６】
そして、第１圧縮気筒の停止クランク角と、このエンジン回転速度Ｎｅの目標上昇量ＴΔＮｅを実現するために必要な燃料噴射量Ｑとは、図５に実線で示す関係となる。すなわち、この必要な燃料噴射量Ｑは、エンジン回転速度Ｎｅの目標上昇量ＴΔＮｅを実現することのできる最遅角側のクランク角Ｙ１において最も多くなり、第１圧縮気筒の停止クランク角が進角側であるほど少なくなる。このため、第１圧縮気筒の停止クランク角がクランク角Ｙ１よりも遅角側にある場合には、第１圧縮気筒の停止クランク角がクランク角Ｙ１であるときの燃料噴射量Ｑ（基本燃料噴射量Ｑ０）よりも燃料噴射量Ｑを少なく設定する。ここでは、ＥＣＵ５０は、第１圧縮気筒の停止クランク角が進角側であるほど、燃料噴射量Ｑを少なく設定する。
【００４７】
具体的には、ＥＣＵ５０は、第１圧縮気筒の停止クランク角が進角側であるほど、基本燃料噴射量Ｑ０を減量する補正量ΔＱ（減量幅）が大きくなるように予め実験等により求められたマップを参照し、第１圧縮気筒の停止クランク角に基づいて補正量ΔＱを算出する。そして、基本燃料噴射量Ｑ０から補正量ΔＱを減量することにより燃料噴射量Ｑを設定する。こうした態様により、ＥＣＵ５０は、第１圧縮気筒の停止クランク角に対して、最初の燃焼によるエンジン回転速度Ｎｅの上昇量ΔＮｅが一定の目標上昇量ＴΔＮｅとなるように燃料噴射量Ｑを設定する。なお、第１圧縮気筒の停止クランク角と燃料噴射量Ｑの補正量ΔＱとの関係を定めたマップから補正量ΔＱを算出して、基本燃料噴射量Ｑ０から補正量ΔＱ（減量幅）を減量するといった態様の他に、第１圧縮気筒の停止クランク角と燃料噴射量Ｑとの関係を定めたマップから燃料噴射量Ｑを算出する態様を採用してもよい。また、こうしたマップを参照する構成に代えて、第１圧縮気筒の停止クランク角と燃料噴射量Ｑとの関係を定めた計算式に基づいて、燃料噴射量Ｑを設定するといった態様を採用することもできる。
【００４８】
このため、ディーゼルエンジン１０において第１圧縮気筒燃焼に必要とされるエンジン回転速度Ｎｅの目標上昇量ＴΔＮｅを満たしつつ、エンジン回転速度Ｎｅの上昇量ΔＮｅが目標上昇量ＴΔＮｅを上回る分に相当する燃料を節約することができる。その結果、ディーゼルエンジン１０の燃費性能の向上、及び騒音や振動の低減を図ることができる。
【００４９】
以上詳述した本実施形態の構成によれば、以下の優れた効果が得られる。
【００５０】
ディーゼルエンジン１０では、エンジン始動時に最初に圧縮行程となる第１圧縮気筒内に燃料が噴射されて最初の燃焼が行われる。ここで、本願発明者らは、燃料噴射量Ｑが基本燃料噴射量Ｑ０で一定であり且つ燃料噴射圧（コモンレール１７内の燃料圧力）が一定であったとしても、エンジン停止時状態における第１圧縮気筒のクランク角（第１圧縮気筒の停止クランク角）によって燃料の着火時期が変化して、最初の燃焼により発生するトルクが変化することを見出した。具体的には、最初の燃焼が行われる第１圧縮気筒において、エンジン始動時のピストンによる圧縮開始位置から圧縮上死点までの長さ（圧縮行程長さ）が長いほど燃焼により発生するトルクが大きくなる。このため、燃料噴射量Ｑやコモンレール１７内の燃料圧力が一定である場合、第１圧縮気筒の停止クランク角によっては燃料の過不足等が生じて、エンジン始動時間が長くなったり、燃費性能の低下や騒音の増大が生じたりするおそれがある。
【００５１】
この点、エンジン停止状態における第１圧縮気筒のクランク角が検出され、この検出されるクランク角に基づいて最初の燃焼における燃料噴射量Ｑが可変設定されるため、第１圧縮気筒の停止クランク角が始動時毎に異なったとしても、燃料の燃焼を適切に行うことができる。
【００５２】
上述したように、燃料噴射量Ｑ及び燃料噴射圧が一定であったとしても、第１圧縮気筒における圧縮行程長さが長いほど燃焼により発生するトルクが大きくなり、エンジン回転速度Ｎｅの上昇量ΔＮｅが大きくなる傾向がある。このため、第１圧縮気筒の停止クランク角が進角側であるほど、燃料噴射量Ｑを少なくしたり燃料噴射圧を低くしたりしても、エンジン回転速度Ｎｅの上昇量ΔＮｅの大きさを維持し易くなる。
【００５３】
この点、第１圧縮気筒の停止クランク角が進角側であるほど、最初の燃焼における燃料噴射量Ｑを少なく設定するため、エンジン回転速度Ｎｅの上昇量ΔＮｅが小さくなることを抑制しつつ、燃費性能の向上を図ることができる。
【００５４】
第１圧縮気筒の停止クランク角が始動時毎に異なったとしても、最初の燃焼によるエンジン回転速度Ｎｅの上昇量ΔＮｅを一定に設定された目標上昇量ＴΔＮｅに近付けるため、ディーゼルエンジン１０の始動時間Ｔのばらつきを抑制することができる。
【００５５】
最初の燃焼によるエンジン回転速度Ｎｅの上昇量ΔＮｅが、一定に設定された目標上昇量ＴΔＮｅに近付くように燃料噴射量Ｑを可変設定する際に、第１圧縮気筒の停止クランク角が進角側であるほど、最初の燃焼における燃料噴射量Ｑを減量する補正量ΔＱ（減量幅）を大きくするようにしている。このため、燃料噴射量Ｑ及び燃料噴射圧が一定であったとしても第１圧縮気筒における圧縮行程長さが長いほどエンジン回転速度Ｎｅの上昇量ΔＮｅが大きくなるといった傾向に応じて、燃料噴射量Ｑを補正することができる。その結果、燃費性能の向上を図ることができる。
【００５６】
エンジン停止状態における第１圧縮気筒のクランク角が、第１圧縮気筒内に噴射された燃料が着火すると判定することのできる最遅角側のクランク角Ｘ１（ここではクランク角Ｘ１よりも進角側に設定されたクランク角Ｙ１）よりも進角側であることを条件として、最初の燃焼における燃料噴射量Ｑを可変設定するようにし、第１圧縮気筒内に噴射された燃料が着火しない場合には、第１圧縮気筒において最初の燃焼を行わず、第１圧縮気筒の次に圧縮行程となる第２圧縮気筒において最初の燃焼を行っているため、燃焼されない燃料が噴射されることを抑制することができる。  
【００５７】
ディーゼルエンジン１０が自動停止された後に自動始動される時に、最初の燃焼における燃料噴射量Ｑを可変設定するため、エンジン始動される機会の多いエコノミーランニングシステムに搭載されるディーゼルエンジン１０において、第１圧縮気筒の停止クランク角が始動時毎に異なったとしても、燃料の燃焼を適切に行うことができる。
【００５８】
上記実施形態に限定されず、例えば次のように実施することもできる。
【００５９】
上記実施形態では、図５に示すマップを参照して、第１圧縮気筒の停止クランク角に基づいて燃料噴射量Ｑを設定したが、ディーゼルエンジン１０の冷却水温度等、ディーゼルエンジン１０の運転状態に基づいて燃料噴射量Ｑを補正してもよい。
【００６０】
上記実施形態では、図３に示すように、基本燃料噴射量Ｑ０においてエンジン回転速度Ｎｅの目標上昇量ＴΔＮｅを実現することのできる最遅角側のクランク角Ｙ１よりも第１圧縮気筒の停止クランク角が進角側であるときに、第１圧縮気筒において燃料の燃焼を行うことが可能であると判定したが、基本燃料噴射量Ｑ０において燃料の燃焼を行うことのできる最遅角側のクランク角Ｘ１よりも第１圧縮気筒の停止クランク角が進角側であるときに、第１圧縮気筒において燃料の燃焼を行うことが可能であると判定してもよい。この場合には、第１圧縮気筒燃焼を行うことのできる停止クランク角の範囲が拡大するため、ディーゼルエンジン１０の始動時間を短縮することができる。なお、こうした構成において、第１圧縮気筒の停止クランク角がクランク角Ｙ１とクランク角Ｘ１との間にある場合、すなわち基本燃料噴射量Ｑ０においてエンジン回転速度Ｎｅの上昇量ΔＮｅが目標上昇量ＴΔＮｅよりも低くなる範囲内に第１圧縮気筒の停止クランク角がある場合には、基本燃料噴射量Ｑ０を増量補正することにより、エンジン回転速度Ｎｅの上昇量ΔＮｅを目標上昇量ＴΔＮｅにすることができる。
【００６１】
また、図６に示すように、基本燃料噴射量Ｑ０においてエンジン回転速度Ｎｅの目標上昇量ＴΔＮｅ２を実現することができない場合には、斜線で示す範囲に対応させて、第１圧縮気筒の停止クランク角が遅角側であるほど、第１圧縮気筒燃焼における基本燃料噴射量Ｑ０を増量する増量補正量を大きくすることにより、エンジン回転速度Ｎｅの上昇量ΔＮｅを目標上昇量ＴΔＮｅ２にすることができる。
【００６２】
上記実施形態では、エンジン回転速度Ｎｅの上昇量ΔＮｅを一定に設定された目標上昇量ＴΔＮｅにするように、第１圧縮気筒の停止クランク角に基づいて第１圧縮気筒燃焼における燃料噴射量Ｑを可変設定したが、エンジン回転速度Ｎｅの上昇量ΔＮｅを目標上昇量ＴΔＮｅに近付けるように、第１圧縮気筒の停止クランク角に基づいて第１圧縮気筒燃焼における燃料噴射量Ｑを可変設定することもできる。この場合も、第１圧縮気筒の停止クランク角が始動時毎に異なったとしても、エンジン回転速度Ｎｅの上昇量ΔＮｅを一定の目標上昇量ＴΔＮｅに近付けることにより、エンジン始動時間のばらつきを抑制することができる。
【００６３】
また、図７に示すように、エンジン回転速度Ｎｅの目標上昇量ＴΔＮｅ３を、第１圧縮気筒の停止クランク角に基づいて可変設定することもできる。具体的には、第１圧縮気筒の停止クランク角が進角側であるほど、第１圧縮気筒燃焼によるエンジン回転速度Ｎｅの目標上昇量ＴΔＮｅ３が大きくなるように設定することが有効である。このように設定された目標上昇量ＴΔＮｅ３はＥＣＵ５０に記憶されている。そして、ＥＣＵ５０は、第１圧縮気筒燃焼によるエンジン回転速度Ｎｅの上昇量ΔＮｅが目標上昇量ＴΔＮｅ３に近付くように、又は上昇量ΔＮｅが目標上昇量ＴΔＮｅ３となるように、第１圧縮気筒の停止クランク角に基づいて燃料噴射量Ｑを可変設定することにより、燃費性能の低下を抑制しつつ、エンジン回転速度Ｎｅの上昇量ΔＮｅを大きくすることができる。特に、第１圧縮気筒の停止クランク角が進角側であるほど、エンジン回転速度Ｎｅの目標上昇量ＴΔＮｅ３が直線的に大きくなるように設定しておくことにより、燃料の燃焼条件が良好であるほどエンジン回転速度Ｎｅの上昇量ΔＮｅを効率的に大きくしつつ、ディーゼルエンジン１０の燃費性能を向上させることができる。
【００６４】
上記実施形態では、第１圧縮気筒の停止クランク角に基づいて燃料噴射量Ｑを可変設定するようにしたが、第１圧縮気筒の停止クランク角に基づいて燃料噴射圧、すなわちコモンレール１７内の燃料圧力を可変設定するようにしてもよい。具体的には、コモンレール１７に減圧弁を設けるとともに、ディーゼルエンジン１０が自動停止される際に検出される第１圧縮気筒の停止クランク角に基づいて、この減圧弁を制御するといった構成を採用することができる。ここで、ディーゼルエンジン１０が自動停止された後に自動始動されるまでの間、コモンレール１７内の燃料の圧力は比較的高い状態で保持されているため、減圧弁により燃料の圧力を低下させるように制御することができる。この場合には、第１圧縮気筒燃焼における燃料の噴射圧を低くすることにより、第１圧縮気筒において圧縮上死点までに噴射される燃料の量が少なくなるため、燃焼により発生するトルクや燃焼に伴う騒音や振動が小さくなる。したがって、最初の燃焼における燃料の噴射圧を制御することにより、ディーゼルエンジン１０の第１圧縮気筒において燃料の燃焼を適切に行うことができる。
【００６５】
上記実施形態では、直列４気筒式のディーゼルエンジン１０を採用したが、６気筒ディーゼルエンジン等、その他の気筒数のディーゼルエンジンを採用することもでき、またＶ型ディーゼルエンジン等、その他の型式のディーゼルエンジンを採用することもできる。それぞれのエンジン特性に応じて第１圧縮気筒の停止クランク角として取り得る範囲は変化するが、図３に示す態様に準じて、燃料噴射弁１８によって噴射された燃料が着火するか否かの境界であるクランク角Ｘ１と、基本燃料噴射量Ｑ０の燃料を噴射したときにエンジン回転速度Ｎｅの目標上昇量ＴΔＮｅを実現することのできる最遅角側のクランク角Ｙ１とを設定して、第１圧縮気筒の停止クランク角に基づいて最初の燃焼における燃料の噴射量又は噴射圧を可変設定すればよい。
【符号の説明】
【００６６】
１０…ディーゼルエンジン、１８…燃料噴射弁、５０…始動制御装置としてのＥＣＵ。
【図１】
2010190146.tif 000003
【図２】
2010190146.tif 000004
【図３】
2010190146.tif 000005
【図４】
2010190146.tif 000006
【図５】
2010190146.tif 000007
【図６】
2010190146.tif 000008
【図７】
2010190146.tif 000009